(57)【要約】【課題】基板ケースが開封済みであるか否かをより容易に判断することが可能な遊技機を提供する。【解決手段】互いに嵌め合わせ可能な第１ケース体４１と第２ケース体４２とを備え且つ基板２３を第２ケース体４２の内側に装着した状態で開閉可能な基板ケース２４と、この基板ケース２４を閉状態で封止する封止手段４３とを備えた遊技機で、封止手段４３による封止が解除されて基板ケース２４が開かれる際に基板２３上の被損壊部４９を損壊する損壊ピン４４を、例えば基板ケース２４が封止手段４３により封止された後に基板ケース２４に装着する。【選択図】図３
2011143162.tif 000002
【特許請求の範囲】
【請求項１】
互いに嵌め合わせ可能な第１ケース体（４１）と第２ケース体（４２）とを備え且つ基板（２３）を前記第２ケース体（４２）の内側に装着した状態で開閉可能な基板ケース（２４）と、該基板ケース（２４）を閉状態で封止する封止手段（４３）とを備えた遊技機において、前記封止手段（４３）による封止が解除されて前記基板ケース（２４）が開かれる際に前記基板（２３）上の被損壊部（４９）を損壊する開封時損壊手段（４４，１２３，１５１，１６３）を備えたことを特徴とする遊技機。
【請求項２】
前記開封時損壊手段（４４，１２３，１５１，１６３）は、封止状態となっている前記基板ケース（２４）内の前記被損壊部（４９）に係合し、前記封止手段（４３）による封止が解除されて前記基板ケース（２４）が開かれる際に前記開封時損壊手段（４４，１２３，１５１，１６３）から前記被損壊部（４９）に力が加わって該被損壊部（４９）が損壊するように構成されていることを特徴とする請求項１に記載の遊技機。
【請求項３】
前記開封時損壊手段（４４）は、少なくとも前記基板ケース（２４）の外側からは取り外しできない状態で前記第１ケース体（４１）に装着可能に構成されており、前記基板ケース（２４）が前記封止手段（４３）により封止された後に前記開封時損壊手段（４４）が前記第１ケース体（４１）に装着されることにより、前記開封時損壊手段（４４）上の係合部（８６）が前記被損壊部（４９）に係合するように構成されていることを特徴とする請求項２に記載の遊技機。
【請求項４】
前記開封時損壊手段（１５１，１６３）は、前記第１ケース体（４１）上に設けられ且つ前記被損壊部（４９）に係合する係合位置から係合しない待避位置側に弾性変形可能な係合爪により構成されており、前記第１ケース体（４１）と前記第２ケース体（４２）とを互いに嵌め合わせる際には前記被損壊部（４９）に押されて前記待避位置側に変形し、前記基板ケース（２４）が閉状態となったときに前記係合位置に復帰して前記被損壊部（４９）に係合するように構成されていることを特徴とする請求項２に記載の遊技機。
【請求項５】
前記封止手段（４３）は、前記第１ケース体（４１）に対する前記第２ケース体（４２）の開方向の相対移動を阻止する封止部材（１０２）を備え、前記開封時損壊手段（１２３）は前記封止部材（１０２）上に設けられており、前記基板ケース（２４）を封止すべく前記封止部材（１０２）が操作されることにより、前記開封時損壊手段（１２３）がその封止部材（１０２）と共に移動して前記被損壊部（４９）に係合するように構成されていることを特徴とする請求項２に記載の遊技機。
【請求項６】
前記被損壊部（４９）は破断容易な低強度部（４８）を介して前記基板（２３）上に一体に形成されており、前記開封時損壊手段（４４，１２３，１５１，１６３）から前記被損壊部（４９）に力が加わって前記低強度部（４８）が破断することにより前記被損壊部（４９）が損壊するように構成されていることを特徴とする請求項２〜５の何れかに記載の遊技機。
【請求項７】
前記基板（２３）上におけるプリントパターンが形成されていない部分に前記被損壊部（４９）を設けたことを特徴とする請求項１〜６の何れかに記載の遊技機。
【請求項８】
前記基板（２３）の表面に設けられた配線の一部が前記被損壊部（４９）上に配置されており、前記被損壊部（４９）が損壊したときに前記配線が切断されるように構成されていることを特徴とする請求項１〜６の何れかに記載の遊技機。
【請求項９】
前記配線が切断されることを条件に所定の報知処理が実行されるように構成されていることを特徴とする請求項８に記載の遊技機。
【発明の詳細な説明】
【技術分野】
【０００１】
本発明は、閉状態で封止可能な基板ケースを備えたパチンコ機、スロットマシン等の遊技機に関するものである。
【背景技術】
【０００２】
パチンコ機、スロットマシン等の遊技機では、各種制御基板等が基板ケースに格納された状態で遊技機本体に装着されている。一般的な基板ケースは、第１ケース体と第２ケース体とを互いに嵌め合わせることにより略箱形となるように構成されている。
【０００３】
また、遊技機の基板ケースには、基板に対する不正防止のための封止手段を備えたものがある。この封止手段は、第１ケース体と第２ケース体とを閉状態で現状復帰不能に封止するもので、一旦基板を格納したまま封止してしまうと、基板ケース上の開封損壊部を損壊して開封の痕跡を残さない限り、再び基板ケースを開くことはできないようになっている（例えば特許文献１）。逆に言えば、基板ケース上の開封損壊部が損壊しているか否かにより、その基板ケースが開封済みか否かを判断することができる。
【先行技術文献】
【特許文献】
【０００４】
【特許文献１】特開２００３−３８８０５号公報
【発明の概要】
【発明が解決しようとする課題】
【０００５】
このように、従来の遊技機でも基板ケース上の開封損壊部の状態を見ればその基板ケースが開封済みであるか否かが判断可能であるが、基板ケースは一般的に透明な合成樹脂製であり、また封止部分の形状が比較的複雑であることなどから、開封損壊部が損壊しているか否かを一目で判断することが難しい場合があった。
【０００６】
本発明は、上記事情に鑑みてなされたものであり、その目的とするところは、基板ケースが開封済みであるか否かをより容易に判断することが可能な遊技機を提供することにある。
【課題を解決するための手段】
【０００７】
本発明は、互いに嵌め合わせ可能な第１ケース体４１と第２ケース体４２とを備え且つ基板２３を前記第２ケース体４２の内側に装着した状態で開閉可能な基板ケース２４と、該基板ケース２４を閉状態で封止する封止手段４３とを備えた遊技機において、前記封止手段４３による封止が解除されて前記基板ケース２４が開かれる際に前記基板２３上の被損壊部４９を損壊する開封時損壊手段４４，１２３，１５１，１６３を備えたものである。
【発明の効果】
【０００８】
本発明によれば、基板ケース２４が開封済みであるか否かを、基板２３上の被損壊部４９の状態に基づいてより容易に判断することが可能である。
【図面の簡単な説明】
【０００９】
【図１】本発明の第１の実施形態を示すパチンコ機の全体正面図である。
【図２】同じく遊技盤の背面図である。
【図３】同じく集球ケース及び主基板ケースの分解斜視図である。
【図４】同じく第２ケース体の背面図である。
【図５】同じく第１ケース体の背面図である。
【図６】同じく損壊ピンとその装着部及び被損壊部の関係を示す要部分解斜視図である。
【図７】同じく第２ケース体及び第１ケース体の要部拡大背面図である。
【図８】同じく第２ケース体及び第１ケース体の要部拡大斜視図である。
【図９】同じく主基板ケースの嵌め合わせ手順を示す説明図である。
【図１０】同じく主基板ケースの封止手順を示す説明図である。
【図１１】同じく主基板ケースへの損壊ピンの装着手順を示す説明図である。
【図１２】同じく主基板ケースの開封手順を示す説明図である。
【図１３】同じく主基板ケース開封時の被損壊部の状態を示す説明図である。
【図１４】本発明の第２の実施形態を示す主基板ケースの側面断面図である。
【図１５】同じく主基板ケース開封時の被損壊部の状態を示す説明図である。
【図１６】本発明の第３の実施形態を示す係合爪及び被損壊部の関係を示す要部分解斜視図である。
【図１７】同じく主基板ケース開封時の被損壊部の状態を示す説明図である。
【図１８】本発明の第４の実施形態を示す主基板ケースの分解斜視図である。
【図１９】同じく主基板ケース開封時の被損壊部の状態を示す説明図である。
【発明を実施するための形態】
【００１０】
以下、本発明の実施形態を図面に基づいて詳述する。図１〜図１３は本発明をパチンコ機に採用した第１の実施形態を例示している。なお、以下の説明における上下左右の方向については、特に基準を示さない限り遊技機本体を前側から見た場合の上下左右をいうものとする。
【００１１】
図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジにより前枠３に開閉自在に枢支されている。前面開閉板７には、その前側に、発射手段８に供給するための遊技球を貯留する貯留皿９、発射手段８を作動させるための発射ハンドル１０等が設けられている。
【００１２】
遊技盤５の前側には、発射手段８により発射された遊技球を案内するガイドレール１１が環状に装着されると共に、そのガイドレール１１内の遊技領域１２には、画像表示手段１３を備えたセンターケース１４の他、通過ゲート１５、開閉式入賞手段１６、大入賞手段１７、普通入賞手段１８等の各種遊技部品が装着されている。
【００１３】
また、遊技盤５の裏側には、図２に示すように、センターケース１４等の遊技部品を後側から覆う裏カバー２１と集球ケース２２とが上下に配置され、例えば集球ケース２２の背面側に主制御基板（基板）２３が格納された主基板ケース（基板ケース）２４が、裏カバー２１の背面側に演出制御基板２５が格納された演出基板ケース２６、液晶制御基板２７が格納された液晶基板ケース２８が夫々着脱自在に装着されている。集球ケース２２は、開閉式入賞手段１６、大入賞手段１７、普通入賞手段１８等に入賞して遊技盤５の裏側に案内された遊技球を集めて排出口２９から回収通路（図示省略）側へと案内するためのもので、図３に示すように上面側と前面側とが開放した略箱形に形成されており、裏カバー２１の下側に近接して配置され、遊技盤５の裏側に着脱自在に固定されている。
【００１４】
集球ケース２２の背面側には、例えばその略中央に主基板ケース２４を着脱自在に装着可能な主基板ケース装着部３１が設けられ、また例えばその主基板ケース装着部３１の一側には、遊技盤５を前枠３に装着したときに前枠３側のコネクタ（図示省略）に直接結合される遊技盤側コネクタ３２が複数配置されている。主基板ケース装着部３１は、集球ケース２２の背面側に設けられた装着開口部３３と、その装着開口部３３の上下両縁側に沿って配置される装着レール３４と、主基板ケース２４の一端側、例えば左端側を保持する第１保持手段３５と、この第１保持手段３５により一端側が保持された主基板ケース２４の他端側を解除可能に保持する締結つまみ等よりなる第２保持手段３６とを備えている。
【００１５】
この主基板ケース装着部３１に装着される主基板ケース２４は、全体として扁平な略矩形状であって、図３に示すように、互いに嵌め合わせ可能な第１ケース体４１と第２ケース体４２とを備えると共に、その外周側の一辺、例えば左端側に沿って封止手段４３が設けられており、更に別部材の損壊ピン（開封時損壊手段）４４を装着可能に構成されている。そして、主基板ケース２４内の空間は、図４，図５等に示すように、封止手段４３に対応する封止領域２４ｂと、それ以外の基板格納領域２４ａとに区分されており、その基板格納領域２４ａ内に主制御基板２３が格納されている。
【００１６】
主制御基板２３は例えば略矩形状であって、その一面側には、中央寄りの部分にＣＰＵ，ＲＯＭ，ＲＡＭ等の電子部品４５が配置され、外縁部近傍には複数のコネクタ４６が配置されると共に位置決め孔４７ａ及び固定孔４７ｂ（図３）が形成されている。
【００１７】
また、主制御基板２３上には、電子部品４５やコネクタ４６の配置位置とは異なる位置に、例えばミシン目状の低強度部４８によって他の部分から区分された被損壊部４９が一体に形成されている。即ち、主制御基板２３上には、図６に示すように例えばコの字型のスリット４９ａが形成され、更にそのスリット４９ａの両端部間にミシン目状の低強度部４８が形成されており、それらスリット４９ａと低強度部４８とで囲まれた部分が被損壊部４９となっている。また主制御基板２３上には、被損壊部４９の先端部（低強度部４８とは反対側の端部）に対応する位置に、例えばスリット４９ａと交差するように嵌合孔５０が形成されている。なお、この被損壊部４９上にはプリントパターンは形成されていないものとする。
【００１８】
第２ケース体４２は、例えば透明な合成樹脂製で、図３，図４，図７，図８等に示すように、主制御基板２３の電子部品装着面２３ａ側に対向する上壁５１と、その上壁５１の三辺、例えば上下辺及び右辺に沿って主制御基板２３の裏面２３ｂ側に向けて延設された周壁５２〜５４とを一体に備え、主制御基板２３の裏面２３ｂ側に対応する面、及び外周側の残りの一方側、即ち左側の面はその略全面が開放されて開口５５，５６を形成している。そして、上壁５１の内面側には、例えば左側の開口５６から所定距離内側（右周壁５４側）の位置に、主基板ケース２４内の空間を封止領域２４ｂと基板格納領域２４ａとに仕切る仕切り壁５７（図４，図８等）が右周壁５４と略平行に配置されている。
【００１９】
上壁５１のうち、基板格納領域２４ａに対応する基板側上壁５１ａには、その内部に配置される主制御基板２３との間に電子部品４５の収容空間を確保できるように外向きに膨出する膨出部６１が形成されると共に、例えば周壁５２〜５４に沿って膨出部６１よりも低い段部６２が１又は複数形成されている。段部６２には、主制御基板２３側のコネクタ４６が内側から嵌合するコネクタ嵌合孔６３が夫々１又は複数設けられている。主制御基板２３は、電子部品装着面２３ａを上壁５１側に向けた状態で第２ケース体４２の基板格納領域２４ａ内に嵌め込まれ、ねじ止め等により固定されている。
【００２０】
上壁５１のうち、封止領域２４ｂに対応する封止側上壁５１ｂは、例えば基板側上壁５１ａとの境界部に沿って基板側上壁５１ａ側の段部６２と略同じ高さに配置される底板６６と、この底板６６に対する開口５６側で且つ底板６６よりも高い位置に設けられた台板６７とを備え、それら底板６６と台板６７との間はそれら底板６６と台板６７とに略垂直な起立板６８で連結されている。台板６７の外面側には、外周に沿って囲いリブ６７ａが外向きに所定高さで突設されている。
【００２１】
また、上下の周壁５２，５３には、封止領域２４ｂ側端部、即ち左端部に台板６７と略平行に突出する一対の係合突部６９が設けられ、また基板格納領域２４ａに対応する外面側には外向き突出状の係合爪７０が、開口５５側の縁部に沿って間欠的に複数設けられている。
【００２２】
第１ケース体４１は、例えば透明な合成樹脂製で、図３，図５，図７，図８等に示すように、第２ケース体４２の開口５５に対応する底壁７１と、第２ケース体４２の開口５６に対応して底壁７１の一辺、即ち左辺から第２ケース体４２側に立設される側壁７２と、底壁７１の他の三辺、即ち上辺，下辺及び右辺に沿って第２ケース体４２側に立設される嵌合壁７３〜７５とを一体に備えており、第２ケース体４２に向かい合わせに嵌め合わせたとき、底壁７１，側壁７２が夫々第２ケース体４２側の開口５５，５６を夫々略閉鎖すると共に、嵌合壁７３〜７５が夫々第２ケース体４２側の周壁５２〜５４の外面側に嵌合するようになっている。
【００２３】
また、底壁７１には、第２ケース体４２側の上下の周壁５２，５３の内面側に沿う一対の案内壁７６，７７が、側壁７２の内面側から嵌合壁７５側に向けて上下の嵌合壁７３，７４の内側に平行に配置されている。これら案内壁７６，７７と嵌合壁７３，７４との間は、第２ケース体４２側の周壁５２，５３が摺動自在に嵌合する案内溝７８，７９となっている。
【００２４】
また、上下の嵌合壁７３，７４には、第２ケース体４２の係合爪７０が夫々係脱自在に係合可能な被係合部８０が設けられている。この被係合部８０は、第２ケース体４２側の係合爪７０が夫々嵌脱自在に嵌合する複数の切り欠き部８１と、案内溝７８，７９に沿ってこれら切り欠き部８１に対して例えば封止領域２４ｂとは反対側（右側）に隣接して設けられ且つ係合爪７０が夫々係合する係止部８２とで構成されており、係合爪７０を夫々切り欠き部８１に嵌合させるように第２ケース体４２を第１ケース体４１に嵌め合わせ  （アンロック状態）、第２ケース体４２を第１ケース体４１に対して封止領域２４ｂとは反対側（右側）に向けて相対的にスライドさせたとき（以下、この方向をスライド方向という）、係合爪７０が係止部８２に夫々係合して、第１ケース体４１と第２ケース体４２とが互いに結合状態でロックされる（ロック状態）ようになっている。
【００２５】
側壁７２には、その両端側に第２ケース体４２側の係合突部６９に対応する一対の被係合孔８３が形成されており、第１ケース体４１と第２ケース体４２とをアンロック状態に嵌め合わせる前に、第２ケース体４２側の係合突部６９を被係合孔８３に差し込むことにより、係合突部６９が被係合孔８３に係合して第１，第２ケース体４１，４２の開方向への移動を阻止するようになっている。更に第１ケース体４１の外周部には、主基板ケース装着部３１の第２保持手段３６が係脱自在に係合する被係合部３６ａが外向きに一体形成されている。
【００２６】
また、第１ケース体４１上には、損壊ピン４４を装着するための損壊ピン装着部８４が、主制御基板２３上の被損壊部４９に対応する位置に設けられている。損壊ピン４４は例えば合成樹脂製で、損壊ピン装着部８４に対して第１ケース体４１の外側から装着可能となっており、図６等に示すように例えば円板状に形成された頭部８５と、この頭部８５の一面側に突設された係合突起（係合部）８６と、例えば係合突起８６の両側面に設けられた一対の固定爪８７とを一体に備えている。
【００２７】
係合突起８６は、例えば頭部８５に垂直な板状で、その先端部には傾斜部８６ｃが形成されており、頭部８５からの突出量が一方の第１側縁部８６ａ側から他方の第２側縁部８６ｂ側に向けて徐々に小さくなっている。固定爪８７は、係合突起８６の長手方向に沿って配置され、係合突起８６の先端側に対応する固定端８７ａにおいて係合突起８６の側面に一体に連結されており、他端側の係合端８７ｂ側に向けて徐々に開き幅、即ち係合突起８６からの距離が広くなるように形成されると共にその開き幅が狭まる方向に弾性変形可能となっている。
【００２８】
この損壊ピン４４を装着するための損壊ピン装着部８４は、図５，図６等に示すように第１ケース体４１の底壁７１上に設けられており、損壊ピン４４上の係合突起８６が挿通可能な貫通孔８８と、損壊ピン４４上の固定爪８７が係合可能な例えば一対の係合受け部８９と、それら貫通孔８８及び係合受け部８９の外周を取り囲むように底壁７１の外面側に突設された囲い壁９０とを備えている。
【００２９】
一対の係合受け部８９は、貫通孔８８の一部分が拡幅された爪挿通孔９１を挟んで互いに対向するように底壁７１よりも外側に突出した位置に設けられており、その厚さは損壊ピン４４の固定爪８７の係合端８７ｂと頭部８５との間の隙間と略一致している( 図１１) 。また、囲い壁９０は、損壊ピン４４の頭部８５がその内側に隙間なく嵌合可能な例えば略円筒状に形成されると共に、損壊ピン４４の頭部８５の厚さ分だけ係合受け部８９よりも突出している( 図１１) 。
【００３０】
損壊ピン４４は、この損壊ピン装着部８４に対して第１ケース体４１の外側から装着されるが、その際に固定爪８７は押し狭められた状態で爪挿通孔９１を通過した後に拡幅し、その係合端８７ｂと頭部８５とで係合受け部８９を挟み込んだ状態となって損壊ピン装着部８４に固定される。このとき、損壊ピン４４の頭部８５が囲い壁９０の内側に嵌合してその内側を完全に塞ぐため、主基板ケース２４の外側から固定爪８７の係合を解除して損壊ピン４４を取り外すことはできない。
【００３１】
また第１ケース体４１の内部側には、図５，図６等に示すように損壊ピン装着部８４の近傍に基板保持部９２が設けられている。この基板保持部９２は、主制御基板２３を被損壊部４９上及びその近傍において保持するもので、損壊ピン装着部８４に対してスライド方向の嵌合壁７５側に配置されており、被損壊部４９の裏面（第１ケース体４１の底壁７１に対向する面）に当接する１又は複数の第１保持リブ９２ａと、被損壊部４９の外側で主制御基板２３の電子部品装着面２３ａに当接する１又は複数の第２保持リブ９２ｂとで構成されている。第１保持リブ９２ａは、例えばスライド方向に沿って配置され、第１ケース体４１の底壁７１の内面側に一体に突接されている。また第２保持リブ９２ｂは、第１ケース体４１の底壁７１の内面側に嵌合壁７５と平行に立設された支持壁９３からスライド方向に突設されている。
【００３２】
封止手段４３は、主基板ケース２４の封止領域２４ｂに対応して、第２ケース体４２の開口５６及び第１ケース体４１の側壁７２に沿って例えば一列状に複数組（ここでは２組）配置されている。各封止手段４３は、図３、図７、図８等に示すように、第１ケース体４１側の被結合部１０１と、第２ケース体４２側の封止部材１０２及び開封障害部１０３とで構成されている。被結合部１０１は、第１ケース体４１側の側壁７２の内面側に突設された嵌合支持部１０４上に設けられている。嵌合支持部１０４は、底壁７１に平行な板状で、底壁７１との間に所定距離をおいて側壁７２の内側、即ち封止領域２４ｂ側に張り出すように一体に形成されており、側壁７２に沿って複数（ここでは２つ）の被結合部１０１が設けられている。
【００３３】
各被結合部１０１は、例えばスライド方向に形成された１つの挿通スリット１０５と、この挿通スリット１０５の両側に平行に配置された一対の逃げ用スリット１０６と、それら挿通スリット１０５と逃げ用スリット１０６との間に形成された一対の弾性係合部１０７とを備えている。挿通スリット１０５には、封止部材１０２の結合部１２３に対応してその略中央に拡幅部１０５ａが形成されている。
【００３４】
また、嵌合支持部１０４の第２ケース体４２側の面（以下、表面１０４ａとする）には、各被結合部１０１に対してその配列方向の両側、即ち逃げ用スリット１０６の外側に互いに平行な一対の案内板１０８，１０８が第２ケース体４２の台板６７側に向けて立設されている。また、案内板１０８とその内側の逃げ用スリット１０６との間の嵌合支持部１０４上には、封止部材１０２の嵌合突部１２７に対応する嵌合孔１０９ａと、その嵌合孔１０９ａの側壁７２側に設けられ且つ表面１０４ａ側に突出する規制部１０９ｂとが設けられている。なお、嵌合支持部１０４と底壁７１との間には、それらを接続する補強リブ１１０が、被結合部１０１を避けた位置に複数設けられている。
【００３５】
封止部材１０２及び開封障害部１０３は、封止領域２４ｂに対応して第２ケース体４２に形成された封止用開口部１１１内に配置されている。封止用開口部１１１は、第１ケース体４１側の被結合部１０１に対応して複数（ここでは２つ）設けられており、夫々台板６７から起立板６８を経て底板６６に達する開口状に形成されている。
【００３６】
封止部材１０２は、断面矩形状の軸部１２１と、この軸部１２１の後端側に設けられた鍔部１２２と、軸部１２１の先端側に設けられた台形状の結合部１２３と、鍔部１２２から上側に突出する被押圧部１２４とを備え、封止用開口部１１１のうち、台板６７に形成された台板開口部１１１ａ内に配置され、損壊容易な１又は複数の保持部１２５を介して第２ケース体４２に一体成形されており、主基板ケース２４を封止する際に被押圧部１２４が押圧されると、それによって保持部１２５が損壊して第２ケース体４２側から切り離され、第１ケース体４１側の被結合部１０１に離脱不能に結合するようになっている。鍔部１２２は、例えば略矩形状に形成されており、台板開口部１１１ａを略塞ぐように台板開口部１１１ａ内に配置され、スライド方向に対する左右の両縁部１２２ａ，１２２ｂと、それらの外側に対向する台板開口部１１１ａ側の縁部との間が、例えば夫々２箇所に設けられた保持部１２５により連結されている。
【００３７】
鍔部１２２には、スライド方向に対する左右の両縁部１２２ａ，１２２ｂと、スライド方向のロック状態側（基板格納領域２４ａ側）の縁部１２２ｃとに沿って側壁１２６ａ，１２６ｂと前壁１２６ｃとが被結合部１０１側に向けて突設されている。また、側壁１２６ａ，１２６ｂには、例えばその開口５６側端部に嵌合突部１２７が設けられている。側壁１２６ａ，１２６ｂは、その外面側が被結合部１０１側の案内板１０８に、開口５６側の縁部が被結合部１０１側の規制部１０９ｂに夫々沿うように形成されており、封止部材１０２が被結合部１０１側に押し込まれたとき、側壁１２６ａ，１２６ｂが案内板１０８と規制部１０９ｂとに沿って摺動することにより被結合部１０１側に案内され、嵌合突部１２７が嵌合支持部１０４上の嵌合孔１０９ａに嵌合するようになっている。
【００３８】
なお、規制部１０９ｂは、鍔部１２２が保持部１２５により第２ケース体４２側に連結されている状態では側壁１２６ａ，１２６ｂ及び嵌合突部１２７に到達しない長さに設けられ（図１０（ａ））、第１ケース体４１に対して第２ケース体４２をロック状態側にスライドさせる際に側壁１２６ａ，１２６ｂ及び嵌合突部１２７が規制部１０９ｂと干渉しないようになっている。
【００３９】
軸部１２１は、鍔部１２２の中心部から被結合部１０１側に向けて突設され、例えばスライド方向に対する左右方向に偏平な断面矩形状に形成されており、その幅は被結合部１０１側の拡幅部１０５ａの内幅と略同じか若干小さく形成されている。この軸部１２１の先端側の結合部１２３は、鍔部１２２が保持部１２５により第２ケース体４２側に連結されている状態では被結合部１０１に到達せず（図１０（ａ））、封止部材１０２が被結合部１０１側に押し込まれて第２ケース体４２側から切り離され、鍔部１２２の側壁１２６ａ，１２６ｂ等が嵌合支持部１０４の表面１０４ａに当接したとき、被結合部１０１の挿通スリット１０５を貫通してその裏側に離脱不能に係合するようになっている（図１０  （ｂ））。
【００４０】
被押圧部１２４は、封止部材１０２を被結合部１０１側に向けて押圧する際にその押圧操作を受ける部分であって、鍔部１２２の中心部から外向き突出状に設けられており、その中央に凹部１２４ａが形成されている。封止部材１０２を被結合部１０１側に向けて押圧する際には、この凹部１２４ａにドライバー等の先端部を押し当てることにより容易に押圧操作可能である。
【００４１】
開封障害部１０３は、図７（ａ）、図８（ａ）等に示すように、封止用開口部１１１のうち、起立板６８に形成された起立板開口部１１１ｂから底板６６に形成された底板開口部１１１ｃにかけてその内側に配置され、損壊容易な第１，第２損壊部１３１，１３２を介して第２ケース体４２に一体成形されており、封止部材１０２が第２ケース体４２から切り離されて第１ケース体４１側に結合したとき、その封止部材１０２のスライド方向ロック側に当接又は略当接するようになっている。
【００４２】
この開封障害部１０３は、例えば封止部材１０２に対するスライド方向ロック側に立設された支持板１３３と、この支持板１３３から封止部材１０２側に突設された当接部１３４とを備えている。支持板１３３は、起立板開口部１１１ｂを略塞ぐように起立板６８と同一平面上に配置され、内側端部が嵌合支持部１０４の表面１０４ａに当接又は近接しており、その内側端部近傍に当接部１３４が設けられている。当接部１３４は、封止部材１０２が保持部１２５により第２ケース体４２側に連結されている状態では封止部材１０２から離間しており（図１０（ａ））、封止部材１０２が第２ケース体４２から切り離されて第１ケース体４１側に結合したとき（図１０（ｂ））、その封止部材１０２の前壁１２６ｃの外面側に当接又は近接するようになっている。
【００４３】
第１損壊部１３１は、図７（ａ）に示すように、支持板１３３の外側端部におけるスライド方向左右両側と封止用開口部１１１の縁部又はその近傍、例えば台板６７側の囲いリブ６７ａとの間を夫々連結するように設けられ、主基板ケース２４の外側からニッパー等により容易に損壊可能となっている。また、第２損壊部１３２は、図７（ａ）、図８（ａ）に示すように、支持板１３３の内側端部と、底板開口部１１１ｃの縁部又はその近傍、例えば底板６６及び仕切り壁５７との間を、底板開口部１１１ｃ内をスライド方向に横切って連結するように設けられ、例えばその外側縁部が底板６６と略面一で、内側縁部が嵌合支持部１０４の表面１０４ａに当接又は近接する内外方向幅広状に形成されており、主基板ケース２４の外側からニッパー等により損壊可能となっている。なお、この第２損壊部１３２は、底板６６とその両側に立設された起立板６８及び膨出部６１の側壁６１ａとで構成される内向きの凹部１３５内に配置されているため、第１損壊部１３１に比べると損壊操作が若干困難となっている。
【００４４】
以上のような主基板ケース２４を組み立てる際には、まず第２ケース体４２の内側に主制御基板２３を装着、固定し、その第２ケース体４２の一対の係合突部６９を第１ケース体４１の案内溝７８，７９に沿って被係合孔８３に差し込んだ後、第２ケース体４２の係合爪７０を第１ケース体４１の切り欠き部８１に嵌合させてアンロック状態に嵌め合わせる（図９（ａ）→（ｂ））。このとき、第２ケース体４２側の周壁５４は、第１ケース体４１側の支持壁９３の外側に嵌合する。また、第２ケース体４２側の封止部材１０２は、第１ケース体４１側の被結合部１０１に対してスライド方向にずれた位置にあり、第２ケース体４２側の台板６７はその開口５６側縁部が第１ケース体４１側の側壁７２よりも外側に突出している。
【００４５】
次に、第２ケース体４２と第１ケース体４１とを互いに相対的にスライドさせて、第２ケース体４２側の係合爪７０を第１ケース体４１側の係止部８２に係合させ、第１ケース体４１と第２ケース体４２とを結合状態でロックする（図９（ｂ）→（ｃ））。このとき、主制御基板２３の端部が基板保持部９２の第１保持リブ９２ａと第２保持リブ９２ｂとの間に進入して、第１保持リブ９２ａが被損壊部４９の裏面に、第２保持リブ９２ｂが被損壊部４９の外側で主制御基板２３の電子部品装着面２３ａにそれぞれ当接した状態となり、また主制御基板２３側の嵌合孔５０と第１ケース体４１側の損壊ピン装着部８４の貫通孔８８とが一致した状態となる。更に、第２ケース体４２側の封止部材１０２は第１ケース体４１側の被結合部１０１と内外方向に合致し、また第２ケース体４２側の台板６７はその開口５６側縁部が第１ケース体４１側の側壁７２とスライド方向に略一致した状態となる（図１０（ａ））。
【００４６】
続いて図１０に示すように、複数（２組）の封止手段４３のうちの１つを用いて主基板ケース２４を封止する。即ち、ドライバー等の工具の先端を封止部材１０２の被押圧部１２４に当て、内側、即ち第１ケース体４１側に押圧する。これにより、保持部１２５が損壊してその封止部材１０２が第２ケース体４２から切り離されると共に、その封止部材１０２の先端側の結合部１２３が弾性係合部１０７を両側に押し広げながら挿通スリット１０５内に嵌合する。そして、封止部材１０２の鍔部１２２が嵌合支持部１０４の表面１０４ａに当接したとき、結合部１２３が挿通スリット１０５を貫通して弾性係合部１０７の裏側に係合し、その封止部材１０２は第２ケース体４２から完全に独立した状態で第１ケース体４１側に離脱不能に結合した状態となる（図１０（ｂ））。
【００４７】
このとき、その封止部材１０２に対応する開封障害部１０３の当接部１３４が、その封止部材１０２のスライド方向ロック側に当接又は近接した状態となるため、第２ケース体４２と第１ケース体４１とを開方向、即ちアンロック状態側に相対的にスライドさせようとしても、第１ケース体４１側に結合している封止部材１０２が、当接部１３４を介して第２ケース体４２の開方向への相対移動を阻止するため、そのままでは主基板ケース２４を開封することはできない。
【００４８】
封止手段４３による封止が完了すると、続いて図１１に示すように損壊ピン４４を損壊ピン装着部８４に装着する。即ち、損壊ピン４４の係合突起８６を、傾斜部８８ｃが基板保持部９２側に向くように貫通孔８８に挿入する（図１１（ａ））。そして、固定爪８７が爪挿通孔９１を通過して係合受け部８９の内側に係合したとき、係合突起８６における傾斜部８８ｃの中間部分よりも先端側が主制御基板２３の嵌合孔５０に嵌合した状態となる（図１１（ｂ）) 。またこのとき、損壊ピン４４の頭部８５が囲い壁９０の内側に嵌合してその内側を完全に塞ぐため、主基板ケース２４の外側から固定爪８７の係合を解除して損壊ピン４４を取り外すことはできない。
【００４９】
損壊ピン４４が装着された主基板ケース２４は、各コネクタ４６に各種ハーネスが接続され、コネクタカバー（図示省略）等が装着された後、集球ケース２２の背面側の主基板ケース装着部３１に着脱自在に装着される。
【００５０】
検査等のために主基板ケース２４を正規に開封する場合には、まず主基板ケース２４を主基板ケース装着部３１から取り外し、各種ハーネスをコネクタ４６から取り外した後、図１２に示すように封止手段４３による封止を解除する。即ち、封止状態となっている封止手段４３の第１，第２損壊部１３１，１３２をニッパー等の工具を用いて切断し、開封障害部１０３を第２ケース体４２から切り離して除去し、起立板開口部１１１ｂ及び底板開口部１１１ｃを開放する（図１２（ａ））。これにより、第２ケース体４２側には第１ケース体４１側の封止部材１０２を規制する部分がなくなるため、第２ケース体４２を第１ケース体４１に対してアンロック状態側に相対的にスライドさせることができ（図１２（ｂ））、主基板ケース２４を開封することができる。
【００５１】
また、このように第２ケース体４２を第１ケース体４１に対してロック状態からアンロック状態にスライドさせると、第２ケース体４２側に固定されている主制御基板２３も第１ケース体４１側に固定されている損壊ピン４４に対して相対的にスライド移動する。その際、図１３に示すように、損壊ピン４４の傾斜部８６ｃによって被損壊部４９が主基板ケース２４の内側に向けて面外方向に押され、それによって低強度部４８が破断して被損壊部４９が主制御基板２３から切り離される。
【００５２】
このとき、一対の第２保持リブ９２ｂが、被損壊部４９の外側で主制御基板２３の電子部品装着面２３ａに当接して主基板ケース２４の内側への移動を規制しているため、被損壊部４９が面外方向に押される際にそれに引っ張られてその周辺部分も面外方向に移動することがなく、被損壊部４９を低強度部４８において確実に損壊させることができる。
【００５３】
なお、被損壊部４９にはプリントパターンは形成されていないため、主基板ケース２４が開封されて被損壊部４９が損壊した後も主制御基板２３としての機能に影響はない。従って、主基板ケース２４が開封された後、これと交換する新しい主基板ケース２４が到着するまでの間については、開封済みの主基板ケース２４を残りの封止手段４３によって再び封止することにより引き続き使用することが可能である。
【００５４】
以上説明したように、本実施形態のパチンコ機は、封止手段４３による封止が解除されて主基板ケース２４が開かれる際に主制御基板２３上の被損壊部４９を損壊する損壊ピン４４を備えているため、主基板ケース２４が開封済みであるか否かを、開封障害部１０３の有無の他、主制御基板２３上の被損壊部４９の状態によってより容易に判断することが可能である。
【００５５】
また、損壊ピン４４は、主基板ケース２４の外側からは取り外しできない状態で第１ケース体４１に装着可能に構成されており、主基板ケース２４が封止手段４３により封止された後に第１ケース体４１に装着されることによりその損壊ピン４４上の係合突起８６が被損壊部４９に係合し、封止手段４３による封止が解除されて主基板ケース２４が開封される際に損壊ピン４４から被損壊部４９に力が加わって被損壊部４９が損壊するように構成されているため、封止時の操作が損壊ピンを装着するだけと非常に簡単で、しかも痕跡を残すことなく損壊ピン４４を取り外すことはできないため、二重に封止を行ったのと同じ効果が期待できる。
【００５６】
また、被損壊部４９は破断容易な低強度部４８を介して主制御基板２３上に一体に形成されており、損壊ピン４４から被損壊部４９に力が加わって低強度部４８が破断することにより被損壊部４９が損壊するように構成されているため、主基板ケース２４の開封時に被損壊部４９を容易且つ確実に損壊させることができる。
【００５７】
図１４及び図１５は本発明の第２の実施形態を例示し、封止部材１０２の結合部１２３を開封時損壊手段とし、主基板ケース２４を封止すべく封止部材１０２が操作されることにより、結合部（開封時損壊手段）１２３が被損壊部４９に係合するように構成した例を示している。なお、本実施形態に関する以下の説明で特に触れない構成については第１の実施形態と同一であるとする。
【００５８】
本実施形態の主制御基板２３は、図１５（ａ）に示すように、その一端側に封止手段４３側に突出する突出部１４１が設けられている。この突出部１４１上には、各封止手段４３に対応して被損壊部４９が例えば２つ設けられており、第１ケース体４１と第２ケース体４２とをアンロック状態からロック状態にスライドさせたとき、その突出部１４１が嵌合支持部１０４に沿ってその裏側に挿入され（図１４）、各被損壊部４９が夫々被結合部１０１の裏側に重なるようになっている。
【００５９】
主制御基板２３の突出部１４１上には、そのスライド方向一端側の縁部を例えば略矩形状に取り囲むようにコの字型のスリット４９ａが形成され、そのスリット４９ａの内側が被損壊部４９となっており、スリット４９ａの先端部と主制御基板２３の縁部との間に僅かに残された部分が、被損壊部４９とその他の部分とを連結する破断容易な低強度部４８となっている。更に突出部１４１上には、被結合部１０１の挿通スリット１０５に対応する位置に、例えばスリット４９ａと交差するように嵌合孔５０が形成されている。
【００６０】
また、第１ケース体４１上には、主制御基板２３の突出部１４１をその裏側から支持する１又は複数の押さえリブ１４２が、底壁７１から嵌合支持部１０４側に一体に突設されている。
【００６１】
以上のような本実施形態においては、第１ケース体４１と第２ケース体４２とが互いに嵌め合わされてロック状態とされた後、図１４に示すように封止部材１０２が押し込まれ、その封止部材１０２の先端側の結合部１２３が挿通スリット１０５を貫通して弾性係合部１０７の裏側に係合して封止が完了したとき、その結合部（開封時損壊手段）１２３が主制御基板２３の嵌合孔５０に係合した状態となる。
【００６２】
また、主基板ケース２４の開封時には、第１の実施形態と同様の手順で開封障害部１０３が第２ケース体４２から切り離され、第２ケース体４２が第１ケース体４１に対してアンロック状態側に相対的にスライドされる。このとき、第２ケース体４２に固定されている主制御基板２３も第１ケース体４１に対して相対的にスライド移動するが（図１５（ａ）→（ｂ））、封止部材１０２の結合部１２３が係合している被損壊部４９だけは相対移動できず、それによって低強度部４８が破断して被損壊部４９が主制御基板２３から切り離される。
【００６３】
以上説明したように、本実施形態の場合も第１の実施形態と同様、主基板ケース２４が開封済みであるか否かを、開封障害部１０３の有無の他、主制御基板２３上の被損壊部４９の状態によってより容易に判断することが可能であるが、更に主基板ケース２４を組み立てる際には、第１ケース体４１と第２ケース体４２とを嵌め合わせてロックし、封止手段４３により封止するという従来と同様の手順以外、特別な操作が不要であるという利点がある。
【００６４】
図１６及び図１７は本発明の第３の実施形態を例示し、第１の実施形態における損壊ピン４４に代えて、第１ケース体４１上に、主制御基板２３上の被損壊部４９に係合する係合位置から係合しない待避位置側に弾性変形可能な係合爪（開封時損壊手段）１５１を設けた例を示している。なお、本実施形態に関する以下の説明で特に触れない構成については第１の実施形態と同一であるとする。
【００６５】
本実施形態の主制御基板２３には、その角部近傍に、スライド方向に沿って形成されたＶ字状の切り欠き部１５２と、スライド方向に直交する線状の切り込み部１５３とで囲まれた被損壊部４９が設けられており、切り欠き部１５２の先端部と切り込み部１５３の先端部との間に僅かに残された部分が、被損壊部４９とその他の部分とを連結する破断容易な低強度部４８となっている。また、被損壊部４９における切り込み部１５３側の端部には、係合爪１５１が係合可能な切り欠き状の被係合部１５４が形成されている。
【００６６】
また第１ケース体４１の内部側には、被損壊部４９上又はその近傍で主制御基板２３の面外方向への移動を規制する基板保持部９２が設けられている。この基板保持部９２は、例えばスライド方向に沿って第１ケース体４１の底壁７１の内面側に一体に突接され且つ主制御基板２３の裏面２３ｂに当接する１又は複数の第１保持リブ９２ａと、第１ケース体４１の底壁７１の内面側に嵌合壁７５と平行に立設された支持壁９３からスライド方向に突設され且つ主制御基板２３の電子部品装着面２３ａに当接する１又は複数の第２保持リブ９２ｂとで構成されている。なお、この基板保持部９２は省略してもよい。
【００６７】
係合爪１５１は、第１ケース体４１の例えば案内壁７７上に設けられ、被損壊部４９に係合する係合位置から係合しない待避位置側に弾性変形可能に形成されており、第１ケース体４１と第２ケース体４２とを互いに嵌め合わせてアンロック状態からロック状態側にスライドさせる際には被損壊部４９に押されて待避位置側に弾性変形し、ロック状態となったときに係合位置に復帰して被損壊部４９の被係合部１５４に対してスライド方向のロック側に係合するようになっている（図１７（ａ））。
【００６８】
即ち、本実施形態のパチンコ機においては、主基板ケース２４を組み立てる際には、第１ケース体４１と第２ケース体４２とを嵌め合わせてロックすると共に封止手段４３により封止するだけでよく、第１の実施形態のように損壊ピン４４を装着するような特別な操作は不要である。
【００６９】
主基板ケース２４を開封する場合には、第１の実施形態と同様、封止手段４３による封止を解除し、第１ケース体４１と第２ケース体４２とをアンロック状態側にスライドさせればよい。このとき、第２ケース体４２側に固定されている主制御基板２３は第１ケース体４１に対して相対的にスライド移動するが、第１ケース体４１側の係合爪１５１がスライド方向のロック側に係合している被損壊部４９だけは相対移動できず、それによって低強度部４８が破断して被損壊部４９が主制御基板２３から切り離される（図１７（ｂ））。
【００７０】
以上説明したように、本実施形態の場合も第１の実施形態と同様、主基板ケース２４が開封済みであるか否かを、開封障害部１０３の有無の他、主制御基板２３上の被損壊部４９の状態によってより容易に判断することが可能であるが、更に主基板ケース２４を組み立てる際には、第１ケース体４１と第２ケース体４２とを嵌め合わせてロックし、封止手段４３により封止するという従来と同様の手順以外、特別な操作が不要であるという利点がある。
【００７１】
以上説明した第１〜第３の実施形態では、第１ケース体４１と第２ケース体４２とを基板２３に沿って相対的にスライドさせることによりロック状態とし、それら第１ケース体４１と第２ケース体４２とのアンロック状態側へのスライドを阻止する封止手段４３を備えた基板ケース２４を採用した例を示したが、図１８及び図１９に示す第４の実施形態ではそれ以外の基板ケースを採用した例を示している。
【００７２】
本実施形態の主基板ケース２４は、第１ケース体４１と第２ケース体４２とをその一端側のヒンジ手段１６１により係脱自在に係合させ、他端側を封止手段４３により封止するように構成されている。なお、内部に収容する主制御基板２３は第２ケース体４２側に装着、固定される。
【００７３】
ヒンジ手段１６１は、第１ケース体４１の一端側に一体に形成された上下一対のヒンジピン１６１ａと、このヒンジピン１６１ａに対応して第２ケース体４２の一端側に一体に形成され且つヒンジピン１６１ａに係脱、回動自在に係合する上下一対の係合片１６１ｂとで構成されている。また、封止手段４３は、第１ケース体４１側の被結合部１０１と、第２ケース体４２側の封止部材１０２とで構成されており、第２ケース体４２側の封止部材１０２を第１ケース体４１側の被結合部１０１に離脱不能に結合させることにより、第１ケース体４１と第２ケース体４２とを閉状態で封止するように構成されている。
【００７４】
この主基板ケース２４内に収容される主制御基板２３には、封止手段４３側の端部近傍に、例えば切り込み部１６２とミシン目状の低強度部４８とで囲まれた被損壊部４９が設けられており、第１ケース体４１上には、その被損壊部４９に対応する位置に、第２ケース体４２側に向けて係合爪（開封時損壊手段）１６３が設けられている。係合爪１６３は、被損壊部４９の縁部に係合する係合位置から係合しない待避位置側に弾性変形可能に形成されており、第１ケース体４１と第２ケース体４２とを嵌め合わせる際には被損壊部４９の縁部を乗り越えてその表面側に係合するようになっている（図１９（ａ））。
【００７５】
即ち、本実施形態のパチンコ機においても、主基板ケース２４を組み立てる際には、第１ケース体４１と第２ケース体４２とを嵌め合わせて封止手段４３により封止するだけでよく、第１の実施形態のように損壊ピン４４を装着するような特別な操作は不要である。
【００７６】
主基板ケース２４を開封する場合には、封止手段４３による封止を解除し、第１ケース体４１と第２ケース体４２とをヒンジ手段１６１廻りに開けばよい。このとき、第２ケース体４２側に固定されている主制御基板２３は第１ケース体４１から遠ざかる方向に相対移動するが、第１ケース体４１側の係合爪１６３が表面側に係合している被損壊部４９だけは相対移動できず、それによって被損壊部４９が面外方向に引っ張られて低強度部４８が破断し、被損壊部４９が主制御基板２３から切り離される（図１９（ｂ））。
【００７７】
以上説明したように、本実施形態の場合も第１の実施形態と同様、主基板ケース２４が開封済みであるか否かを、開封障害部１０３の有無の他、主制御基板２３上の被損壊部４９の状態によってより容易に判断することが可能であるが、更に主基板ケース２４を組み立てる際には、第１ケース体４１と第２ケース体４２とを嵌め合わせてロックし、封止手段４３により封止するという従来と同様の手順以外、特別な操作が不要であるという利点がある。
【００７８】
以上、本発明の実施形態について詳述したが、本発明はこれらの実施形態に限定されるものではなく、本発明の趣旨を逸脱しない範囲で種々の変更が可能である。例えば、実施形態では被損壊部４９上にはプリントパターンを設けないように構成したが、主制御基板２３上に実装されている遊技制御回路を構成する一部の配線を低強度部４８を介して被損壊部４９上に配置してもよい。
【００７９】
この場合、その配線を例えば遊技制御回路上の開封報知処理部に接続し、被損壊部４９が損壊して低強度部４８で配線が切断された場合には開封報知処理部によって所定の報知処理を実行するように構成すればよい。所定の報知処理としては、主制御基板２３上に設けた開封報知ＬＥＤの点灯又は消灯、画像表示手段１３への警告表示等が考えられる。なお、低強度部４８で配線が切断されても主制御基板２３としての通常の制御機能は損なわれないように構成すれば、主基板ケース２４が開封された後、これと交換する新しい主基板ケース２４が到着するまでの間については、開封報知は行われるものの、開封済みの主基板ケース２４を残りの封止手段４３によって再び封止することにより引き続き使用することが可能である。
【００８０】
実施形態では、基板ケース２４を開封する際に基板２３上の被損壊部４９が自動的に損壊するように構成したが、被損壊部４９を基板ケース２４の外側から損壊可能に構成し、被損壊部４９を損壊しなければ基板ケース２４を開封できないように構成してもよい。
【００８１】
本発明を適用可能な基板ケースは主基板ケース以外の任意の基板ケースに適用可能である。また、実施形態では本発明をパチンコ機に適用した例を示したが、アレンジボール機、スロットマシン等の各種遊技機において同様に実施可能であることは言うまでもない。
【符号の説明】
【００８２】
２３  主制御基板（基板）
２４  主基板ケース（基板ケース）
４１  第１ケース体
４２  第２ケース体
４３  封止手段
４４  損壊ピン（開封時損壊手段）
４８  低強度部
４９  被損壊部
８６  係合突起（係合部）
１０２  封止部材
１２３  結合部（開封時損壊手段）
１５１  係合爪（開封時損壊手段）
１６３  係合爪（開封時損壊手段）
【図１】
2011143162.tif 000003
【図２】
2011143162.tif 000004
【図３】
2011143162.tif 000005
【図４】
2011143162.tif 000006
【図５】
2011143162.tif 000007
【図６】
2011143162.tif 000008
【図７】
2011143162.tif 000009
【図８】
2011143162.tif 000010
【図９】
2011143162.tif 000011
【図１０】
2011143162.tif 000012
【図１１】
2011143162.tif 000013
【図１２】
2011143162.tif 000014
【図１３】
2011143162.tif 000015
【図１４】
2011143162.tif 000016
【図１５】
2011143162.tif 000017
【図１６】
2011143162.tif 000018
【図１７】
2011143162.tif 000019
【図１８】
2011143162.tif 000020
【図１９】
2011143162.tif 000021